(57)【要約】 【課題】  比較的大きな寸法のセンサであっても比較的小さい材料コストで安定的かつ寸法適合的に支持部材に固定可能な、矩形状のセンサを支持部材に固定するための装置の提供。【解決手段】  矩形状のセンサ（１）を支持部材に固定するための装置であって、ベースプレート（２）と、前記ベースプレート（２）に形成され、夫々所定の間隔をおいて互いに対し平行に延在する複数の縁部（４，５，８，９）を備えた矩形又は方形の受容切欠部（３）と、前記受容切欠部（３）の互いに向かい合って延在する一方の縁部（４，５）に形成され、少なくとも案内部分（２２）が前記ベースプレート（２）に対して直角に配向された案内壁（６，７）であって、一方の縁部（４，５）を終端する前記受容切欠部（３）の２つの角領域（１８，２０；１９，２１）の間に延在する案内壁（６，７）と、  他方の縁部（８，９）において該他方の縁部（８，９）の中央領域に夫々形成され、前記案内壁（６，７）の長さと比べてより短い係合フック部材（１０，１１）であって、前記ベースプレート（２）に対して直角に配向された当接（係合）部分（２６）を少なくとも夫々有する係合フック部材（１０，１１）とを有し、前記案内部分（２２）及び前記係合部分（２６）は、センサ（１）が嵌め込まれたとき、該センサ（１）の壁に当接するよう構成された固定装置。【選択図】  図２
2009543727.tif 000002
【特許請求の範囲】
【請求項１】
矩形状のセンサ（１）を支持部材に固定するための装置であって、
ベースプレート（２）と、
前記ベースプレート（２）に形成され、夫々所定の間隔をおいて互いに対し平行に延在する複数の縁部（４，５，８，９）を備えた矩形又は方形の受容切欠部（３）と、
前記受容切欠部（３）の互いに向かい合って延在する一方の縁部（４，５）に形成され、少なくとも案内部分（２２）が前記ベースプレート（２）に対して直角に配向された案内壁（６，７）であって、一方の縁部（４，５）を終端する前記受容切欠部（３）の２つの角領域（１８，２０；１９，２１）の間に延在する案内壁（６，７）と、
他方の縁部（８，９）において該他方の縁部（８，９）の中央領域に夫々形成され、前記案内壁（６，７）の長さと比べてより短い係合フック部材（１０，１１）であって、前記ベースプレート（２）に対して直角に配向された当接（係合）部分（２６）を少なくとも夫々有する係合フック部材（１０，１１）と、
を有し、
前記案内部分（２２）及び前記係合部分（２６）は、センサ（１）が嵌め込まれたとき、該センサ（１）の壁に当接するよう構成された固定装置。
【請求項２】
各案内壁（６，７）は、前記案内部分（２２）の前記ベースプレート（２）から離隔する側に、前記受容切欠部（３）から離隔するように湾曲されるよう形成されたセンタリング部分（２４）を有すること
を特徴とする請求項１に記載の装置。
【請求項３】
各案内壁（６，７）は、前記案内部分（２２）と前記ベースプレート（２）との間に配されかつ前記ベースプレート（２）から離隔するように該ベースプレート（２）の対応する縁部（４，５）から前記案内部分（２２）の方向に斜めに延在する接続部分（２３）を有すること
を特徴とする請求項１又は２に記載の装置。
【請求項４】
各係合フック部材（１０，１１）は、前記受容切欠部（３）から離隔する側を指向する少なくとも１つのノーズ部分（１２）を有すること
を特徴とする請求項１〜３の何れか１項に記載の装置。
【請求項５】
係合フック部材（１０，１１）が形成された受容切欠部（３）の縁部（８，９）の外側において対向して位置する前記ベースプレート（２）の外縁（２９，３０）に、該ベースプレート（２）に対して直角に配向された補強壁（３１，３２）が形成されること
を特徴とする請求項１〜４の何れか１項に記載の装置。
【請求項６】
前記係合フック部材（１０，１１）の側部の前記縁部（８，９）に、内縁ベンド部（２８）が形成されること
を特徴とする請求項１〜５の何れか１項に記載の装置。
【請求項７】
案内壁（６，７）が形成された縁部（４，５）に対向して位置する外縁（３４，３５）に、外縁ベンド部（３６）が形成されること
を特徴とする請求項１〜６の何れか１項に記載の装置。
【請求項８】
前記受容切欠部（３）は矩形状に形成されること、
前記案内壁（６，７）は長い縁部（４，５）に形成され、かつ、前記係合フック部材（１０，１１）は短い縁部（８，９）に形成されること
を特徴とする請求項１〜７の何れか１項に記載の装置。
【発明の詳細な説明】
【技術分野】
【０００１】
本発明は、矩形状のセンサを支持部材に固定するための装置に関する。
【背景技術】
【０００２】
矩形状のセンサを支持部材に固定するための装置は、ＤＥ １９９ ３３ ６４０ Ａ１に開示されているが、この装置では、センサは、ウェブ部材（複数）に形成されたピン（複数）と協働するフレーム部材（複数）を介して、該ウェブ部材が形成されたベースプレートに結合可能であり、他方、該ベースプレートは、支持部材と結合可能である。しかしながら、この装置は、その構造が比較的複雑である。
【０００３】
ＤＥ １０３ ２６ ８５３ Ａ１は、円形のセンサを支持部材に固定するための装置を開示しているが、この装置は、円形の受容切欠部の周囲に円形の案内壁が延在しているベースプレートを有する。案内壁には半径方向外側に突出し、フレーム部材と係合する係止ノーズ（複数）が形成されている。フレーム部材は、受容切欠部に嵌め込まれかつ案内壁に当接している円形横断面のセンサに架設されている。しかしながら、この装置は、比較的材料コストが大きいため、とりわけ外周の大きな大型のセンサではコストが大きくなることが明らかになっている。
【先行技術文献】
【特許文献】
【０００４】
【特許文献１】ＤＥ １９９ ３３ ６４０ Ａ１
【特許文献２】ＤＥ １０３ ２６ ８５３ Ａ１
【発明の概要】
【発明が解決しようとする課題】
【０００５】
本発明の課題は、比較的大きな寸法のセンサであっても比較的小さい材料コストで安定的かつ寸法適合的に支持部材に固定可能な、矩形状のセンサを支持部材に固定するための装置を提供することである。
【課題を解決するための手段】
【０００６】
上記の課題は、請求項１の特徴を備える矩形状のセンサを支持部材に固定するための装置によって解決される。
【発明を実施するための形態】
【０００７】
本発明の装置が、長い案内壁と、この案内壁と比べてより短い（幅が狭い）係合フック部材を有することによって、比較的小さい材料コストで、信頼性の大きいセンサの固定が保証される。
【０００８】
本発明の更に有利な実施の形態は、従属請求項の対象である。
【０００９】
図面を参照した本発明の有利な実施例の以下の説明から、更なる有利な実施形態及び利点が明らかとなる。
【図面の簡単な説明】
【００１０】
【図１】センサが嵌め込まれた本発明の装置の一実施例の斜視図。
【図２】ベースプレートに形成されたセンサを収容する受容切欠部をセンサを導入する方向に見た図１の実施例の斜視図。
【実施例】
【００１１】
図１は、固定ケージ（保持器）として構成された、矩形状のセンサを図１に図示されていない支持部材に固定するための本発明の装置の一実施例の斜視図である。有利には（金属）薄板で製造された図１の本発明の装置は、ホットメルト接着剤が被覆された（塗布された）ベースプレート２を有する。このベースプレート２の中央部には同様に矩形状の受容切欠部３が形成されている。受容切欠部３の互いに向い合う長縁部４，５には、ベースプレート２から離隔する方向に延在しかつセンサ１の長手壁に当接する案内壁６，７が形成されている。
【００１２】
受容切欠部３の短縁部８，９には、その中央に、案内壁６，７と同じ方向にベースプレート２から離隔するよう延在する係合フック部材１０，１１が形成されている。係合フック部材１０，１１には、受容切欠部３から離隔するように突出するノーズ部分（複数）１２が形成されている。これらのノーズ部分１２は、センサ１に結合されかつ該センサ１に（アーチ状に）架設されている実質的にＵ字状の張架フレーム部材（テンションフレーム）１７の脚部分１５，１６に形成された係合切欠部１３，１４に貫通して係合フックする。
【００１３】
（両）係合フック部材１０，１１のノーズ部分（複数）１２は互いに異なる間隔（ノーズ間の間隔）を有し、かつ、（両）係合切欠部１３，１４の幅もこれに応じて同様に異なるように構成すると、本発明の装置に対するセンサ１の位置合せ（アライメント）に関する目印を形成することができるため好都合である。
【００１４】
図２は、図１の実施例の斜視図である。図２から明らかなとおり、案内壁６，７は、一方の角領域１８，１９から対向して位置する他方の角領域２０，２１まで長縁部４，５のほぼ全長にわたって延在する。長縁部４，５は、対応する角領域１８，２０；１９，２１において夫々終端している。各案内壁６，７は、所定の可撓性を備えるために、接続部分２３を介してベースプレート２に結合されベースプレート２に対して実質的に直角に配向される平坦な案内部分２２を有する。接続部分（複数）２３は、ベースプレート２から係合フック部材１０，１１の方向に斜めに延在するため、案内部分（複数）２２は長縁部４，５に対し内側（受容切欠部３の内部側）にずらされて位置している。これにより、ホットメルト接着剤が受容切欠部３に溢れ出てセンサ１に達することが回避される。
【００１５】
案内壁６，７は、夫々、接続部分２３の反対側の案内部分２２の部位に、センタリング部分２４を有する。センタリング部分２４は受容切欠部から離隔するよう斜め外方に配向されているため、平面的な当接によりセンサ１の回動が阻止されている案内部分（複数）２２の間へのセンサ１の挿入が、容易化される。
【００１６】
短縁部８，９の中央部に配置され、短縁部８，９の長さと比べて、従って案内壁６，７の長さと比べて、材料節約的に著しくより短い（幅が狭い）係合フック部材１０，１１は、案内壁６，７（の各部分）に対応して、ベースプレート２に形成された接続部分（据付基部）２５、ベースプレート２に対して実質的に直角に延在する当接（係合）部分２６、及びセンタリング部分２７を含んで構成される。さらに、図２から明らかなとおり、板状舌片として当接（係合）部分２６に形成され、受容切欠部３から離隔するよう湾曲されたノーズ部分１２を備えている。
【００１７】
係合フック部材１０，１１の両側の短縁部８，９に、ベースプレート２から離隔するよう係合フック部材１０，１１の方向に（凡そ４５°の角度で）立ち上げられた（折り曲げられた）内縁ベンド部（内縁フランジ）２８が形成されている。内縁ベンド部２８は、割り当てられた係合フック部材１０，１１からそれに隣接する角領域１８，１９，２０，２１にまで延在している。内縁ベンド部２８は、ベースプレート２の補強に資する。
【００１８】
短縁部８，９に対向して位置するベースプレート２の短い外縁２９，３０には、ベースプレート２に対して直角に立ち上げられかつ係合フック部材１０，１１に対して平行に延在する補強壁（複数）３１，３２が形成されている。これらの補強壁３１，３２は、ベースプレート２の安定化、（両）端部領域に形成された掴持切欠部３３を介した図２に不図示の掴持工具によるベースプレート２の操作、及び図２に不図示のカバーの係止に資する。
【００１９】
長縁部４，５に対向して位置するベースプレート２の長い外縁３４，３５には、内縁ベンド部２８に相応する補強機能を有する外縁ベンド部（外縁折曲フランジ）３６が形成されている。
【００２０】
補強壁３１，３２と内縁及び外縁ベンド部２８，３６の組合せにより本発明の装置はとりわけ捻れに対して著しく安定化されるため、本発明の装置を支持部材に固定するために、ホットメルト接着剤は長い外縁３４，３５と長縁部４，５の間にだけ塗布すればよいため、材料を節約することができる。
【００２１】
ベースプレート２を支持部材に固定するためにホットメルト接着剤を使用する際、ホットメルト接着剤の規定された間隔および規定された流動性を達成するために、ベースプレート２の角領域１８，１９，２０，２１には、案内壁６，７および係合フック部材１０，１１とは反対側のベースプレートの面を越えて突出する突出部（プレス加工された窪み凹部の裏側：Sicken）３７が形成される。
【図１】
2009543727.tif 000003
【図２】
2009543727.tif 000004
【手続補正書】
【提出日】平成21年3月18日(2009.3.18)
【手続補正１】
【補正対象書類名】明細書
【補正対象項目名】全文
【補正方法】変更
【補正の内容】
【発明の詳細な説明】
【技術分野】
【０００１】
本発明は、矩形状のセンサを支持部材に固定するための装置に関する。
【背景技術】
【０００２】
矩形状のセンサを支持部材に固定するための装置は、ＤＥ １９９ ３３ ６４０ Ａ１に開示されているが、この装置では、センサは、ウェブ部材（複数）に形成されたピン（複数）と協働するフレーム部材（複数）を介して、該ウェブ部材が形成されたベースプレートに結合可能であり、他方、該ベースプレートは、支持部材と結合可能である。
【０００３】
ＤＥ １０３ ２６ ８５３ Ａ１は、円形のセンサを支持部材に固定するための装置を開示しているが、この装置は、円形の受容切欠部の周囲に円形の案内壁が延在しているベースプレートを有する。案内壁には半径方向外側に突出し、フレーム部材と係合する係止ノーズ（複数）が形成されている。フレーム部材は、受容切欠部に嵌め込まれかつ案内壁に当接している円形横断面のセンサに架設されている。
【先行技術文献】
【特許文献】
【０００４】
【特許文献１】ＤＥ １９９ ３３ ６４０ Ａ１
【特許文献２】ＤＥ １０３ ２６ ８５３ Ａ１
【発明の概要】
【発明が解決しようとする課題】
【０００５】
しかしながら、特許文献１の装置は、その構造が比較的複雑である。また、特許文献２の装置は、比較的材料コストが大きいため、とりわけ外周の大きな大型のセンサではコストが大きくなることが明らかになっている。本発明の課題は、比較的大きな寸法のセンサであっても比較的小さい材料コストで安定的かつ寸法適合的に支持部材に固定可能な、矩形状のセンサを支持部材に固定するための装置を提供することである。
【課題を解決するための手段】
【０００６】
上記の課題は、請求項１の特徴を備える矩形状のセンサを支持部材に固定するための装置によって解決される。即ち、本発明の一視点において、矩形状のセンサを支持部材に固定するための装置が提供される。この固定装置において、
ベースプレートと、
前記ベースプレートに形成され、夫々所定の間隔をおいて互いに対し平行に延在する複数の縁部を備えた矩形又は方形の受容切欠部と、
前記受容切欠部の互いに向かい合って延在する一方の縁部に形成され、少なくとも案内部分が前記ベースプレートに対して直角に配向された案内壁であって、一方の縁部を終端する前記受容切欠部の２つの角領域の間に延在する案内壁と、
他方の縁部において該他方の縁部の中央領域に夫々形成され、前記案内壁の長さと比べてより短い係合フック部材であって、前記ベースプレートに対して直角に配向された当接（係合）部分を少なくとも夫々有する係合フック部材と、
を有し、
前記案内部分及び前記係合部分は、センサが嵌め込まれたとき、該センサの壁に当接するよう構成されたことを特徴とする（形態１・基本構成）。
【発明を実施するための形態】
【０００７】
本発明の装置が、長い案内壁と、この案内壁と比べてより短い（幅が狭い）係合フック部材を有することによって、比較的小さい材料コストで、信頼性の大きいセンサの固定が保証される。
【０００８】
本発明の更に有利な実施の形態は、従属請求項の対象である。以下に、本発明の好ましい実施の形態を示す：
（形態１）  上記基本構成参照。
（形態２）  上記の固定装置において、各案内壁は、前記案内部分の前記ベースプレートから離隔する側に、前記受容切欠部から離隔するように湾曲されるよう形成されたセンタリング部分を有することが好ましい。
（形態３）  上記の固定装置において、各案内壁は、前記案内部分と前記ベースプレートとの間に配されかつ前記ベースプレートから離隔するように該ベースプレートの対応する縁部から前記案内部分の方向に斜めに延在する接続部分を有することが好ましい。
（形態４）  上記の固定装置において、各係合フック部材は、前記受容切欠部から離隔する側を指向する少なくとも１つのノーズ部分を有することが好ましい。
（形態５）  上記の固定装置において、係合フック部材が形成された受容切欠部の縁部の外側において対向して位置する前記ベースプレートの外縁に、該ベースプレートに対して直角に配向された補強壁が形成されることが好ましい。
（形態６）  上記の固定装置において、前記係合フック部材の側部の前記縁部に、内縁ベンド部が形成されることが好ましい。
（形態７）  上記の固定装置において、案内壁が形成された縁部に対向して位置する外縁に、外縁ベンド部が形成されることが好ましい。
（形態８）  上記の固定装置において、前記受容切欠部は矩形状に形成されること、
前記案内壁は長い縁部に形成され、かつ、前記係合フック部材は短い縁部に形成されることが好ましい。
【０００９】
図面を参照した本発明の有利な実施例の以下の説明から、更なる有利な実施形態及び利点が明らかとなる。なお、以下の説明は本発明の一実施例についての説明に過ぎない。従って、特許請求の範囲に付記された図面参照符号は、専ら発明の理解を助けるためのものであり、本発明を図示の態様に限定することは意図されていない。
【図面の簡単な説明】
【００１０】
【図１】センサが嵌め込まれた本発明の装置の一実施例の斜視図。
【図２】ベースプレートに形成されたセンサを収容する受容切欠部をセンサを導入する方向に見た図１の実施例の斜視図。
【実施例】
【００１１】
図１は、固定ケージ（保持器）として構成された、矩形状のセンサを図１に図示されていない支持部材に固定するための本発明の装置の一実施例の斜視図である。有利には（金属）薄板で製造された図１の本発明の装置は、ホットメルト接着剤が被覆された（塗布された）ベースプレート２を有する。このベースプレート２の中央部には同様に矩形状の受容切欠部３が形成されている。受容切欠部３の互いに向い合う長縁部４，５には、ベースプレート２から離隔する方向に延在しかつセンサ１の長手壁に当接する案内壁６，７が形成されている。
【００１２】
受容切欠部３の短縁部８，９には、その中央に、案内壁６，７と同じ方向にベースプレート２から離隔するよう延在する係合フック部材１０，１１が形成されている。係合フック部材１０，１１には、受容切欠部３から離隔するように突出するノーズ部分（複数）１２が形成されている。これらのノーズ部分１２は、センサ１に結合されかつ該センサ１に（アーチ状に）架設されている実質的にＵ字状の張架フレーム部材（テンションフレーム）１７の脚部分１５，１６に形成された係合切欠部１３，１４に貫通して係合フックする。
【００１３】
（両）係合フック部材１０，１１のノーズ部分（複数）１２は互いに異なる間隔（ノーズ間の間隔）を有し、かつ、（両）係合切欠部１３，１４の幅もこれに応じて同様に異なるように構成すると、本発明の装置に対するセンサ１の位置合せ（アライメント）に関する目印を形成することができるため好都合である。
【００１４】
図２は、図１の実施例の斜視図である。図２から明らかなとおり、案内壁６，７は、一方の角領域１８，１９から対向して位置する他方の角領域２０，２１まで長縁部４，５のほぼ全長にわたって延在する。長縁部４，５は、対応する角領域１８，２０；１９，２１において夫々終端している。各案内壁６，７は、所定の可撓性を備えるために、接続部分２３を介してベースプレート２に結合されベースプレート２に対して実質的に直角に配向される平坦な案内部分２２を有する。接続部分（複数）２３は、ベースプレート２から係合フック部材１０，１１の方向に斜めに延在するため、案内部分（複数）２２は長縁部４，５に対し内側（受容切欠部３の内部側）にずらされて位置している。これにより、ホットメルト接着剤が受容切欠部３に溢れ出てセンサ１に達することが回避される。
【００１５】
案内壁６，７は、夫々、接続部分２３の反対側の案内部分２２の部位に、センタリング部分２４を有する。センタリング部分２４は受容切欠部から離隔するよう斜め外方に配向されているため、平面的な当接によりセンサ１の回動が阻止されている案内部分（複数）２２の間へのセンサ１の挿入が、容易化される。
【００１６】
短縁部８，９の中央部に配置され、短縁部８，９の長さと比べて、従って案内壁６，７の長さと比べて、材料節約的に著しくより短い（幅が狭い）係合フック部材１０，１１は、案内壁６，７（の各部分）に対応して、ベースプレート２に形成された接続部分（据付基部）２５、ベースプレート２に対して実質的に直角に延在する当接（係合）部分２６、及びセンタリング部分２７を含んで構成される。さらに、図２から明らかなとおり、板状舌片として当接（係合）部分２６に形成され、受容切欠部３から離隔するよう湾曲されたノーズ部分１２を備えている。
【００１７】
係合フック部材１０，１１の両側の短縁部８，９に、ベースプレート２から離隔するよう係合フック部材１０，１１の方向に（凡そ４５°の角度で）立ち上げられた（折り曲げられた）内縁ベンド部（内縁フランジ）２８が形成されている。内縁ベンド部２８は、割り当てられた係合フック部材１０，１１からそれに隣接する角領域１８，１９，２０，２１にまで延在している。内縁ベンド部２８は、ベースプレート２の補強に資する。
【００１８】
短縁部８，９に対向して位置するベースプレート２の短い外縁２９，３０には、ベースプレート２に対して直角に立ち上げられかつ係合フック部材１０，１１に対して平行に延在する補強壁（複数）３１，３２が形成されている。これらの補強壁３１，３２は、ベースプレート２の安定化、（両）端部領域に形成された掴持切欠部３３を介した図２に不図示の掴持工具によるベースプレート２の操作、及び図２に不図示のカバーの係止に資する。
【００１９】
長縁部４，５に対向して位置するベースプレート２の長い外縁３４，３５には、内縁ベンド部２８に相応する補強機能を有する外縁ベンド部（外縁折曲フランジ）３６が形成されている。
【００２０】
補強壁３１，３２と内縁及び外縁ベンド部２８，３６の組合せにより本発明の装置はとりわけ捻れに対して著しく安定化されるため、本発明の装置を支持部材に固定するために、ホットメルト接着剤は長い外縁３４，３５と長縁部４，５の間にだけ塗布すればよいため、材料を節約することができる。
【００２１】
ベースプレート２を支持部材に固定するためにホットメルト接着剤を使用する際、ホットメルト接着剤の規定された間隔および規定された流動性を達成するために、ベースプレート２の角領域１８，１９，２０，２１には、案内壁６，７および係合フック部材１０，１１とは反対側のベースプレートの面を越えて突出する突出部（プレス加工された窪み凹部の裏側：Sicken）３７が形成される。
【国際調査報告】
2009543727.tif 000005
2009543727.tif 000006
2009543727.tif 000007
2009543727.tif 000008